(57)【要約】【課題】ゴルフボールの打球時にクラブヘッドから発せられた打球音を、空間的に広がりを持たせてユーザーに聞き取らせること。【解決手段】ゴルフクラブ１００は、クラブヘッド２００と、筒状のクラブシャフト１１０とを備える。クラブヘッド２００は、内部空間２００Ａを有する。クラブシャフト１１０は、内部空間１１０Ａを有する。クラブシャフト１１０の内部空間１１０Ａは、クラブヘッド２００側の端部において、クラブヘッド２００の内部空間２００Ａに対する音の透過性または伝達性を有し、シャフトグリップ１２０側の端部において、外部空間に対する音の透過性または伝達性を有する。【選択図】図２
2011156072.tif 000002
【特許請求の範囲】
【請求項１】
内部空間を有するクラブヘッドと、
内部空間を有する筒状のクラブシャフトと、
を備え、
前記クラブシャフトの内部空間は、前記クラブヘッド側の端部において、前記クラブヘッドの内部空間に対する音の透過性または伝達性を有し、シャフトグリップ側の端部において、外部空間に対する音の透過性または伝達性を有する
ことを特徴とするゴルフクラブ。
【請求項２】
前記クラブシャフトの内部空間の前記シャフトグリップ側の端部は、音の透過性または伝達性を有する部材によって塞がれている
ことを特徴とする請求項１に記載のゴルフクラブ。
【請求項３】
前記クラブヘッドと前記クラブシャフトとの接合部分の隙間には、前記クラブヘッドと前記クラブシャフトとを接着する接着剤を吸収する筒形状の吸収部材が設けられている
ことを特徴とする請求項１または２に記載のゴルフクラブ。
【発明の詳細な説明】
【技術分野】
【０００１】
本発明は、ゴルフクラブに関する。
【背景技術】
【０００２】
特許文献１には、ゴルフクラブのクラブヘッドの打球面以外の外側面に、通孔および発音部を複数形成し、打球面の角度に応じた音をスイング時に発することが記載されている。また、特許文献２には、ゴルフクラブのクラブヘッドの打球面から貫通する通気孔を設け、打球面の角度に応じた音をスイング時に発することが記載されている。また、特許文献３には、打球時にクラブヘッドからクラブシャフトに伝わる振動を軽減することを目的として、クラブヘッドのネック部に開口を設けることが記載されている。
【先行技術文献】
【特許文献】
【０００３】
【特許文献１】特開平８−１１７３８０号公報
【特許文献２】特開２００１−１７８８６０号公報
【特許文献３】登録実用新案第３０９５１５４号公報
【発明の概要】
【発明が解決しようとする課題】
【０００４】
しかしながら、上記技術では、ゴルフボールの打球時にクラブヘッドから発せられた打球音を、空間的に広がりを持たせてユーザーに聞き取らせることができない。そこで、本発明は、ゴルフボールの打球時にクラブヘッドから発せられた打球音を、空間的に広がりを持たせてユーザーに聞き取らせることができるゴルフクラブを提供することを目的とする。
【課題を解決するための手段】
【０００５】
上記課題を解決するため、本発明は、内部空間を有するクラブヘッドと、内部空間を有する筒状のクラブシャフトと、を備え、前記クラブシャフトの内部空間は、前記クラブヘッド側の端部において、前記クラブヘッドの内部空間に対する音の透過性または伝達性を有し、シャフトグリップ側の端部において、外部空間に対する音の透過性または伝達性を有することを特徴とするゴルフクラブを提供する。また、本発明は、前記クラブシャフトの内部空間の前記シャフトグリップ側の端部は、音の透過性または伝達性を有する部材によって塞がれていることを特徴とするゴルフクラブを提供する。また、本発明は、前記クラブヘッドと前記クラブシャフトとの接合部分の隙間には、前記クラブヘッドと前記クラブシャフトとを接着する接着剤を吸収する吸収部材が設けられていることを特徴とするゴルフクラブを提供する。
【発明の効果】
【０００６】
本発明のゴルフクラブによれば、クラブヘッドから当該クラブヘッドの内部空間に向けて発せられた打球音を、クラブシャフトのシャフトグリップ側の端部から、外部空間へ放出することができる。このため、ゴルフボールの打球時にクラブヘッドから発せられた打球音を、空間的に広がりを持たせてユーザーに聞き取らせることができる。
【図面の簡単な説明】
【０００７】
【図１】第１実施例に係るゴルフクラブ１００の外観を示す。
【図２】第１実施例に係るゴルフクラブ１００のクラブヘッド部分の断面構造を示す。
【図３】第１実施例に係るゴルフクラブ１００のシャフトグリップ部分の断面構造を示す。
【図４】クラブヘッド２００が発する打球音が伝播する様子を模式的に示す。
【図５】クラブヘッド２００が発する打球音が伝播する様子を模式的に示す。
【図６】第２実施例に係るゴルフクラブ１００のシャフトグリップ部分の断面構造を示す。
【図７】第３実施例に係るゴルフクラブ１００のシャフトグリップ部分の断面構造を示す。
【図８】第４実施例に係るゴルフクラブ１００のシャフトグリップ部分の断面構造を示す。
【発明を実施するための形態】
【０００８】
＜第１実施例＞
図１は、第１実施例に係るゴルフクラブ１００の外観を示す。ゴルフクラブ１００は、クラブシャフト１１０、シャフトグリップ１２０、およびクラブヘッド２００を備える。クラブシャフト１１０のクラブヘッド２００側の端部は、クラブヘッド２００のホーゼル部に形成された孔に差し込まれ、接着剤によってクラブヘッド２００に接合されている。クラブシャフト１１０のシャフトグリップ１２０側の端部においては、その外周面がある程度の幅を有してシャフトグリップ１２０によって覆われている。
【０００９】
図２は、第１実施例に係るゴルフクラブ１００のクラブヘッド部分の断面構造を示す。ゴルフクラブ１００は、クラブヘッド２００を有する。クラブヘッド２００は、内部空間２００Ａを有する。クラブヘッド２００には、外部空間から内部空間２００Ａに貫通する貫通孔２０２が形成されている。ゴルフクラブ１００は、筒状のクラブシャフト１１０を備える。クラブシャフト１１０は内部空間１１０Ａを有する。クラブヘッド２００の貫通孔２０２には、クラブシャフト１１０のクラブヘッド２００側の端部が挿し込まれる。このため、貫通孔２０２の内形は、クラブシャフト１１０のクラブヘッド２００側の端部の外形と、略同形状を有している。ここで、クラブシャフト１１０のクラブヘッド２００側の端部は開口している。これにより、クラブシャフト１１０の内部空間は、クラブヘッド２００側の端部において、クラブヘッド２００の内部空間２００Ａに対する音の透過性を有する。貫通孔２０２とクラブシャフト１１０の接合部分の隙間には、接着剤が充填される。これにより、クラブヘッド２００とクラブシャフト１１０とが接着される。貫通孔２０２には、溝部２０４が形成されている。これにより、上記接合部分の隙間に、より多くの接着剤を充填することができる。また、硬化した接着材が、溝部２０４と勘合するクラブシャフト１１０の突起としての役割をなすことで、クラブシャフト１１０を抜けにくくする。
【００１０】
図３は、第１実施例に係るゴルフクラブ１００のシャフトグリップ部分の断面構造を示す。内部空間１１０Ａのシャフトグリップ１２０側の端部は、シャフトグリップ１２０の端面に設けられた塞栓部材１３０によって塞がれている。塞栓部材１３０は、音の透過性を有する。これにより、内部空間１１０Ａは、シャフトグリップ１２０側の端部において、外部空間に対する音の透過性を有する。塞栓部材１３０には、音の透過性を有する多孔質体が設けられている。特に、第１実施例においては、塞栓部材１３０には、発泡ゴムを用いた連続気泡体が用いられている。また、塞栓部材１３０は、シャフトグリップ１２０と一体的に成型されている。これに限らず、塞栓部材１３０は、シャフトグリップ１２０と別体的に成型されているものであってもよい。
【００１１】
ここで、図２に示すように、クラブヘッド２００とクラブシャフト１１０との接合部分の隙間には、クラブヘッド２００とクラブシャフト１１０とを接着する接着剤を吸収する吸収部材２１０が設けられている。吸収部材２１０は、クラブヘッド２００とクラブシャフト１１０との接合部分の隙間から漏出した接着剤を吸収することができる。本実施形態においては、具体的には、貫通孔２０２の内部空間において、クラブシャフト１１０のクラブヘッド２００側の端面と対向する位置に、吸収部材２１０が設けられている。接着剤の漏出を防止するためには、クラブシャフト１１０のクラブヘッド２００側の端面と吸収部材２１０とが接していることが好ましいが、これに限らない。吸収部材２１０は、貫通孔２０２の内形と略同形状の外形を有する。また、吸収部材２１０は、クラブヘッド２００の内部空間２００Ａとクラブシャフト１１０の内部空間１１０Ａとの音の透過性を妨げないように、筒形状を有する。本実施形態の吸収部材２１０は、その筒内部において、クラブヘッド２００側へ向かうにつれて内径が小さくなるように、テーパー形状を有する。これにより、接着剤の吸収効果を高めることができる。また、筒内部をテーパー形状としない場合に対して、当該筒内部を通過する音の音響特性を異ならせることができる。これに限らず、吸収部材２１０は、筒内部がテーパー形状を有していなくてもよい。本実施形態の吸収部材２１０には、綿が用いられている。これに限らず、吸収部材２１０には、接着剤を吸収することができる他の材質が用いられてもよい。本実施形態の吸収部材２１０は、クラブシャフト１１０のクラブヘッド２００側の端面と対向する位置に設けられている。これに限らず、吸収部材２１０は、たとえば、クラブシャフト１１０のクラブヘッド２００側の端部の外周面を覆うように設けられてもよい。
【００１２】
図４および図５は、クラブヘッド２００が発する打球音が伝播する様子を模式的に示す。ゴルフクラブ１００によるゴルフボールの打球時には、図４（ａ）に示すように、クラブヘッド２００は方向Ａへ移動する。そして、クラブヘッド２００のフェース面２００Ｂによって、ゴルフボールを方向Ａに打ち飛ばす。このときの衝撃により、クラブヘッド２００は、図４（ｂ）に示すように、フェース面２００Ｂが凹形状に、クラウン面２００Ｃが凸形状に変形する。これにより、主に、フェース面２００Ｂおよびクラウン面２００Ｃのそれぞれから、外部空間に向かって打球音が発せられる。同時に、フェース面２００Ｂ、クラウン面２００Ｃ、およびソール面２００Ｄのそれぞれから、内部空間２００Ａに向かっても、打球音が発せられる。
【００１３】
内部空間２００Ａに向かって発せられた打球音は、内部空間２００Ａにおいて、回折、反射、各面の位相ずれなどにより、増幅および減衰を繰り返す。このうちの一部の打球音は、方向Ｂが示すように、貫通孔２０２から、クラブシャフト１１０の内部空間１１０Ａへ伝播する。内部空間１１０Ａへ伝播した打球音は、図５に示すように、塞栓部材１３０を通じて、クラブシャフト１１０のシャフトグリップ１２０側の端部から、外部空間に放たれる。このように、ゴルフクラブ１００は、ゴルフボールを打ち飛ばすことにより、クラブヘッド２００の表面と、クラブシャフト１１０のシャフトグリップ１２０側の端部とのそれぞれから、打球音を発する。実験結果によると、内部空間２００Ａに向かって発せられた打球音のうちのおよそ５％が、クラブシャフト１１０のシャフトグリップ１２０側の端部から、外部空間に放たれた。このとき、シャフトグリップ１２０側の端部から放たれた打球音の音量は、およそ３０ｄｂであった。
【００１４】
第１実施例のゴルフクラブ１００によれば、クラブヘッド２００から当該クラブヘッド２００の内部空間に向けて発せられた打球音（特に低音成分）を、クラブシャフト１１０のシャフトグリップ１２０側の端部から、外部空間へ放出することができる。このため、ゴルフボールの打球時にクラブヘッド２００から発せられた打球音を、空間的に広がりを持たせてユーザーに聞き取らせることができる。また、クラブヘッド２００およびクラブシャフト１１０の双方から打球音を発することができるため、ユーザーに対し、打球音を立体的に聞かせることができる。また、クラブヘッド２００よりもユーザーの耳元に近いクラブシャフト１１０のシャフトグリップ１２０側の端部からも打球音を発するため、クラブヘッド２００が発した音を、ユーザーに聞き取らせ易くすることができる。また、実験結果によると、従来のゴルフクラブではユーザーの耳元まで伝達しなかった周波数帯の打球音を、クラブシャフト１１０のシャフトグリップ１２０側の端部から発し、ユーザーの耳元へ伝達させることができるため、複数の周波数帯の打球音が奏でるユーザーにとって心地よい和音を、ユーザーに聞かせることができる。
【００１５】
また、ゴルフボールの打球時にクラブヘッド２００が変形することによって生じる内部空間２００Ａの圧力を、クラブシャフト１１０のシャフトグリップ１２０側の端部から逃がすことができる。このため、クラブヘッド２００において、空気弾性の増加を抑え、打撃速度に依らない安定した反発力を得ることができる。また、クラブヘッド２００とクラブシャフト１１０との接合部分の隙間に吸収部材２１０を設けたため、内部空間２００Ａへの接着剤の漏出防止効果をより高めることができる。特に、筒形状を有する吸収部材２１０を設けたため、打球音の伝達効果が軽減してしまうことを抑えることができる。また、接着剤を吸収し固着した吸収部材２１０は、クラブシャフト１１０とは減衰のピークが異なる周波数特性を有する。このため、クラブシャフト１１０の振動を軽減することができ、ユーザーにとって心地よい打撃感をユーザーに与えることができる。
【００１６】
＜第２実施例＞
図６は、第２実施例に係るゴルフクラブ１００のシャフトグリップ部分の断面構造を示す。第２実施例のゴルフクラブ１００は、塞栓部材１３０に金属多孔質体が用いられている点で、第１実施例のゴルフクラブ１００と相違する。このように、塞栓部材１３０は、少なくとも音の透過性を有していればよく、発泡ゴムを用いた連続気泡体に限らず、ポリウレタン、プラスチック等の他の材質を用いた連続気泡体や、金属多孔質体、音の透過性を有する他の材料等を用いてもよい。第２実施例のゴルフクラブ１００によれば、クラブヘッド２００から当該クラブヘッド２００の内部空間に向けて発せられた打球音を、クラブシャフト１１０のシャフトグリップ１２０側の端部から、外部空間へ放出することができる。このため、ゴルフボールの打球時にクラブヘッド２００から発せられた打球音を、空間的に広がりを持たせてユーザーに聞き取らせることができる。
【００１７】
＜第３実施例＞
図７は、第３実施例に係るゴルフクラブ１００のシャフトグリップ部分の断面構造を示す。第３実施例のゴルフクラブ１００は、塞栓部材１３０が設けられていない点で、第１実施例のゴルフクラブ１００と相違する。代わりに、クラブシャフト１１０の端面がシャフトグリップ１２０によって覆われている。ここで、シャフトグリップ１２０の端面の中央には、円形の開口部１２０Ａが形成されている。これにより、クラブシャフト１１０の内部空間１１０Ａのシャフトグリップ１２０側の端部は、外部空間に対する音の透過性を有する。このように、クラブシャフト１１０の内部空間１１０Ａのシャフトグリップ１２０側の端部は、少なくとも外部空間に対する音の透過性を有していればよく、塞栓部材１３０が設けられていなくてもよい。第３実施例のゴルフクラブ１００によれば、クラブヘッド２００から当該クラブヘッド２００の内部空間に向けて発せられた打球音を、クラブシャフト１１０のシャフトグリップ１２０側の端部から、外部空間へ放出することができる。このため、ゴルフボールの打球時にクラブヘッド２００から発せられた打球音を、空間的に広がりを持たせてユーザーに聞き取らせることができる。
【００１８】
＜第４実施例＞
図８は、第４実施例に係るゴルフクラブ１００のシャフトグリップ部分の断面構造を示す。第４実施例のゴルフクラブ１００は、シャフトグリップ１２０の開口部１２０Ａが、振動膜８００で覆われている点で、第３実施例のゴルフクラブ１００と相違する。シャフトグリップ１２０の開口部１２０Ａが、音の伝達性を有する振動膜８００で覆われていることにより、クラブシャフト１１０の内部空間１１０Ａのシャフトグリップ１２０側の端部は、外部空間に対する音の透過性を有しないが、外部空間に対する音の伝達性を有する。したがって、内部空間１１０Ａへ伝播した打球音は、振動膜８００が振動することによって、外部空間に伝達される。
【００１９】
たとえば、振動膜８００には、ポリテトラフルオロエチレンを延伸加工したフィルムと、ポリウレタンポリマーを複合化して作成された、微細な孔を有する繊維布が用いられる。この場合、振動膜８００は、表面に張力をかけて、シャフトグリップ１２０の開口部１２０Ａを塞ぐように、シャフトグリップ１２０またはクラブシャフト１１０の端面に貼り付けられる。これに限らず、振動膜８００は、振動することによって、内部空間１１０Ａの打球音を外部空間に伝達することができるものであればどのようなものであってもよい。第４実施例のゴルフクラブ１００によれば、クラブヘッド２００から当該クラブヘッド２００の内部空間に向けて発せられた打球音を、クラブシャフト１１０のシャフトグリップ１２０側の端部から、外部空間へ伝達することができる。このため、ゴルフボールの打球時にクラブヘッド２００から発せられた打球音を、空間的に広がりを持たせてユーザーに聞き取らせることができる。
【００２０】
＜変形例＞
以上、第１実施例−第４実施例について説明したが、本発明は上述した第１実施例−第４実施例に限定されることなく、他の様々な形態で実施可能である。例えば、上述の第１実施例−第４実施例を変形して本発明を実施してもよい。たとえば、第１実施例−第３実施例で説明した音の透過性または伝達性を有する部分は、クラブシャフト１１０の端面に限らない。たとえば、音の透過性または伝達性を有する部分は、クラブシャフト１１０の外周面であってもよい。この場合、音の透過性または伝達性を有する部分は、通常、シャフトグリップ１２０で覆われている部分であってもよい。クラブシャフト１１０の内部空間は、クラブヘッド２００側の端部において、少なくとも音の透過性または伝達性を有していればよい。たとえば、クラブシャフト１１０のクラブヘッド２００側の端部に、塞栓部材１３０または振動膜８００のような、音の透過性または伝達性を有する部材が設けられていてもよい。他の例として、クラブヘッド２００の貫通孔２０２に、塞栓部材１３０または振動膜８００のような、音の透過性または伝達性を有する部材が設けられていてもよい。
【符号の説明】
【００２１】
１００…ゴルフクラブ、１１０…クラブシャフト、１２０…シャフトグリップ、１３０…塞栓部材、２００…クラブヘッド、２０２…貫通孔、２０４…溝部、２１０…吸収部材、８００…振動膜
【図１】
2011156072.tif 000003
【図２】
2011156072.tif 000004
【図３】
2011156072.tif 000005
【図４】
2011156072.tif 000006
【図５】
2011156072.tif 000007
【図６】
2011156072.tif 000008
【図７】
2011156072.tif 000009
【図８】
2011156072.tif 000010